(57)【要約】【課題】タブレット端末がクレイドルに対して装着されて、且つ、無線通信接続されたことにより、クレイドルのＩＰ電話機能を利用し得る場合に、そのＩＰ電話機能を利用し得る状態にあるか否かを分かり易く認識させること。【解決手段】タブレット端末１１０と、ブロードバンドルータと送受話器とを具備し、タブレット端末１１０に対して無線通信接続された状態において、タブレット端末１１０が装着された場合に、タブレット端末１１０のアプリケーションソフトとブロードバンドルータと送受話器とを利用したＩＰ電話機能を提供するクレイドル１２０とを備え、タブレット端末１１０は、クレイドル１２０に当該タブレット端末１１０が装着された場合に、クレイドル１２０に対する無線通信接続の有無を示すアイコン表示を、クレイドル１２０のＩＰ電話機能を利用し得る状態にあることを示す文字表示に切り替える制御部を有する。【選択図】図１
2015050673.tif 000002
【特許請求の範囲】
【請求項１】
ＩＰ電話用のアプリケーションソフトを具備するタブレット端末と、
前記タブレット端末に対して着脱自在且つ無線通信接続し得るように設けられて、ブロードバンドルータと送受話器とを具備し、前記タブレット端末に対して無線通信接続された状態において、前記タブレット端末が装着された場合に、前記タブレット端末のアプリケーションソフトと前記ブロードバンドルータと前記送受話器とを利用したＩＰ電話機能を提供するクレイドルと
を備え、
前記タブレット端末は、
前記クレイドルに当該タブレット端末が装着された場合に、前記クレイドルに対する無線通信接続の有無を示すアイコン表示を、前記クレイドルのＩＰ電話機能を利用し得る状態にあることを示す文字表示に切り替える制御部
を有するＩＰ電話システム。
【請求項２】
前記制御部は、前記クレイドルからの分離を検出するまでの間、切り替えた表示を継続する
請求項１に記載のＩＰ電話システム。
【請求項３】
前記制御部は、前記クレイドルからの分離を検出した場合、切り替えた表示を元の表示に戻す
請求項１又は２に記載のＩＰ電話システム。
【請求項４】
前記制御部は、無線ＬＡＮに未接続の場合、無線ＬＡＮに未接続であることを示す文字表示を行う
請求項１から３のいずれか一項に記載のＩＰ電話システム。
【請求項５】
前記制御部は、他の機器と無線ＬＡＮ接続されている場合、前記他の機器と無線ＬＡＮ接続されていることを示す文字表示を行う
請求項１から４のいずれか一項に記載のＩＰ電話システム。
【請求項６】
前記制御部は、前記クレイドルと無線ＬＡＮ接続処理中である場合、前記クレイドルと無線ＬＡＮ接続処理中であることを示す文字表示を行う
請求項１から５のいずれか一項に記載のＩＰ電話システム。
【請求項７】
ＩＰ電話用のアプリケーションソフトを具備するタブレット端末であって、
当該タブレット端末に対して着脱自在且つ無線通信接続し得るように設けられて、ブロードバンドルータと送受話器とを具備し、当該タブレット端末に対して無線通信接続された状態において、当該タブレット端末のアプリケーションソフトと前記ブロードバンドルータと前記送受話器とを利用したＩＰ電話機能を提供するクレイドルに当該タブレット端末が装着された場合に、前記クレイドルに対する無線通信接続の有無を示すアイコン表示を、前記クレイドルのＩＰ電話機能を利用し得る状態にあることを示す文字表示に切り替える制御部
を備えるタブレット端末。
【請求項８】
ＩＰ電話用のアプリケーションソフトを具備するタブレット端末に対して着脱自在且つ無線通信接続し得るように設けられて、ブロードバンドルータと送受話器とを具備し、前記タブレット端末に対して無線通信接続された状態において、前記タブレット端末が装着された場合に、前記タブレット端末のアプリケーションソフトと前記ブロードバンドルータと前記送受話器とを利用したＩＰ電話機能を提供するクレイドルに前記タブレット端末が装着された場合に、前記クレイドルに対する無線通信接続の有無を示すアイコン表示を、前記クレイドルのＩＰ電話機能を利用し得る状態にあることを示す文字表示に切り替える制御段階
を備えるタブレット端末の制御方法。
【請求項９】
ＩＰ電話用のアプリケーションソフトを具備するタブレット端末として、コンピュータを機能させるプログラムであって、
前記コンピュータを、
当該タブレット端末に対して着脱自在且つ無線通信接続し得るように設けられて、ブロードバンドルータと送受話器とを具備し、当該タブレット端末に対して無線通信接続された状態において、当該タブレット端末のアプリケーションソフトと前記ブロードバンドルータと前記送受話器とを利用したＩＰ電話機能を提供するクレイドルに当該タブレット端末が装着された場合に、前記クレイドルに対する無線通信接続の有無を示すアイコン表示を、前記クレイドルのＩＰ電話機能を利用し得る状態にあることを示す文字表示に切り替える制御部
として機能させるプログラム。
【発明の詳細な説明】
【技術分野】
【０００１】
本発明は、ＩＰ（Ｉｎｔｅｒｎｅｔ  Ｐｒｏｔｏｃｏｌ）電話システム、タブレット端末、タブレット端末の制御方法、及びプログラムに関する。
【背景技術】
【０００２】
近年は、モデム機能を備えたカードを挿入し、有線又は無線によって公衆電話網と接続するノートブックサイズのコンピュータが増えている。
【０００３】
また、近年は、無線式のモデムカードの代わりに実際の携帯電話に接続し、公衆電話網を通してサーバコンピュータとアクセスする携帯端末も現れている。
【０００４】
しかしながら、有線式のモデム機能のノートパソコンは、公衆回線接続用ケーブル等を使用する度に部屋の壁等に設けられているモジュラーコネクタに接続するのが一般的であり煩わしく、無線式モデム機能のものは概して高価である。
【０００５】
実際の携帯電話に接続する方式は、無線式モデム機能を携帯電話が代替することにより携帯電話はその分安価になる。しかしながら、利用できるユーザは、携帯電話を持っている人、また、生活圏が携帯電話圏内である人等に限られてしまう。
【０００６】
このような背景に関連する技術としては、様々なものが知られている（例えば、特許文献１参照。）。
【０００７】
例えば、特許文献１には、バーコードリーダ、カードリーダ及びハンディターミナル等の携帯端末と、携帯端末を載置する置き台とから成るデータ送受信システムが記載されている。より具体的に説明すると、このデータ送受信システムは、データを入出力する入出力部と、データを記憶しておく記憶部と、データを変復調するモデム部とを備えた携帯端末と、携帯端末と脱着できる脱着部を備えた置き台とから成る。このようにして、このデータ送受信システムによっては、携帯端末を脱着部により置き台に接続し公衆電話網を使い送受信できる。
【０００８】
また、無線通信機器である通信装置においては、デスクトップ右下等の通知領域に登録されている常駐プログラムであるドライバユーティリティのアイコンには、電波状態の強弱、未接続及び接続状態の表示しかされていない。このため、アイコンによっては、どの無線ＬＡＮ（Ｌｏｃａｌ  Ａｒｅａ  Ｎｅｔｗｏｒｋ）規格によって接続しているのか判別するする手段がない。
【０００９】
例えば、電波環境が良好な状態のアンテナ状態は、４本のアンテナ全てが鮮やかなグリーンによって表示される。電波環境が普通の状態のアンテナ状態は、３本のアンテナが鮮やかなグリーンによって表示され、１本が白色によって表示される。電波環境が弱い状態、又は電波が緩衝しているアンテナ状態は、２本のアンテナが黄色によって表示され、他の２本が白色によって表示される。無線ＬＡＮ接続していないアンテナ状態は、４本の全てのアンテナがグレーによって表示される。電波が停止しているアンテナ状態は、４本のアンテナ上に停止マークが表示される。
【００１０】
また、どの無線ＬＡＮ規格によって接続しているかを知るためには、何回かの操作を行い、ドライバユーティリティを開いて調べることはできる。
【００１１】
このようなアイコン表示によっては、電波状態表示に加え、無線ＬＡＮ規格を視覚的に判別することができない。このため、接続している無線ＬＡＮ規格を知るためには、何回かの操作を行ってドライバユーティリティを開く必要がある。この操作は、ユーザにとってはストレスとなる。
【００１２】
このような背景に関連する技術としては、様々なものが知られている（例えば、特許文献２参照。）。
【００１３】
例えば、特許文献２には、無線ＬＡＮ等の電波接続状態と無線通信規格の状態通知とを行なうための通信装置におけるアイコン表示方法が記載されている。より具体的に説明すると、このアイコン表示方法は、情報を表示する制御を行う表示制御手段と、通信の制御を行う通信制御手段とを備える通信装置で実行される。このアイコン表示方法は、通信制御手段で検出した無線ネットワークの電波接続状態と使用中の無線通信規格を、表示制御手段で一つのアイコンを使用して表示する。このようにして、このアイコン表示方法によっては、ユーザは、一つのアイコンで、電波状態と使用中の無線通信規格を色又は文字や記号等で、視覚的に把握することができる。
【００１４】
また、作業機械の一例である油圧ショベルの運転室には、オペレータが油圧ショベルの車体状態の基本情報を確認できるように各種の計器類が設けられる。このような計器類としては、例えば、冷却水の水温計、作動油の油温計、燃料の残量計、エンジンの回転数計等がある。また、このような計器類には、その他にも、油圧ショベルを稼働している時間を示すアワーメータ、ゲートロックレバーの切り換え位置情報等も適宜表示される。
【００１５】
近年、このような計器類の情報を含む油圧ショベルに関する各種情報は、液晶ディスプレイ等のモニタに一括して表示するようになってきている。このようなモニタには、通常時には、冷却水の温度、燃料の残量等の車体状態の基本情報が表示されているが、例えば、油圧ショベルに異常が発生した場合には、異常発生やその内容、対処方法等の警告情報を表示してオペレータに通知しなくてはならない。
【００１６】
更に、運転室内において機械の操作を行うオペレータにとって後方の視野が十分に得られないことから、油圧ショベルの後方位置に監視用のカメラを装着して、モニタには、このカメラ画像を表示する場合もある。これにより、オペレータは、後方における補助的な視野を確保でき、安全な作業を可能とする。
【００１７】
ところで、このようなモニタは、オペレータの視野確保の観点からできるだけコンパクトであることが好ましく、また、近年は油圧ショベルの多機能化に伴って表示される情報も増加傾向にあり、したがって、より多くの情報を限られた表示領域において効率よく表示する必要がある。
【００１８】
つまり、このようなモニタは、基本情報は常時する必要がある一方で、警告情報は通常時は不要であるが、異常時はオペレータが確実に認識できるように表示する必要があり、且つ、切り換え表示を効率よく行う必要がある。
【００１９】
通常時に基本情報を表示し、異常時には警告情報を表示する第１の技術としては、異常時に警告アイコンを点灯させると共に、警告アイコンの内容に係る文字情報を切り換え表示する技術が知られている。また、通常時に基本情報を表示し、異常時には警告情報を表示する第２の技術としては、異常時に基本情報に重ね合わせて、警告アイコンの文字に係る文字情報を表示する技術が知られている。
【００２０】
上述した第１の技術における警告アイコンは、小さな表示領域において、オペレータが直感的に認識できるように表示できる点において有効である。しかしながら、オペレータは、警告アイコンを見ただけでは、その警告アイコンが何を意味しているのか、即ち、警告アイコンの内容を理解できるとは限らない。したがって、上述した第１の技術においては、警告アイコンの内容に係る文字情報を切り換え表示する必要がある。
【００２１】
しかしながら、自動切り換え表示の場合には、オペレータの意図に反する自動切り換えが成されると、オペレータは必要な基本情報を確認できず、作業に支障をきたす可能性があり好ましくない。また、手動切り換え表示の場合には、作業中にオペレータに切り替え操作を強いることになり、オペレータの集中力低下を招く可能性があり好ましくない。
【００２２】
上述した第２の技術のように、基本情報に警告情報を重ね合わせて表示すれば、基本情報は常時表示され、オペレータは、基本情報を確認できると共に、警告内容も理解できる。しかしながら、重ね合わせ領域の画質が多少低下し、オペレータは、基本情報を確認しづらい。
【００２３】
このような背景に関連する技術としては、様々なものが知られている（例えば、特許文献３参照。）。
【００２４】
例えば、特許文献３には、作業機械の基本情報に係る画像を表示する基本情報表示領域と警告アイコンを表示する警告アイコン表示領域を有するモニタと、基本情報に係る画像を表示する基本情報表示機能と警告アイコンを表示する第１警告表示機能とを有する表示制御装置とを備えた作業機械の表示システムが記載されている。より具体的に説明すると、表示制御装置は、所定信号に基づいて、基本情報画像に替えて、基本情報画像より小さい基本情報簡易画像を再表示する。そして、表示制御装置は、基本情報表示領域のうち基本情報簡易画像が表示された領域以外の領域に、警告アイコンの表示内容を含む警告情報を表示する。このようにして、この作業機械の表示システムによっては、基本情報を常時表示すると共に、異常時にはオペレータが警告内容を確実に認識できるように表示し、且つ、効率よく表示することができる。
【先行技術文献】
【特許文献】
【００２５】
【特許文献１】特開２００３−１１０６９６号公報
【特許文献２】特開２００９−２９０６９５号公報
【特許文献３】特開２０１２−７２６１７号公報
【発明の概要】
【発明が解決しようとする課題】
【００２６】
ところで、タブレット端末は、無線ＬＡＮへの接続の有無や電波強度を、アイコンによって表示することが多い。このアイコン表示は、タブレット端末単独での使用のみならず、他の機器との連携使用時でも変わることなく、固定のデザインで使用される。そのため、このアイコン表示は、アイコンの意味がわからない、例えば、高齢者等を含むユーザに対して、十分に情報提供を与えることが困難である。
【００２７】
クレイドルとタブレット端末により構成されるＩＰソフトフォンにおいては、クレイドルとタブレット端末とを無線ＬＡＮで接続する場合、その接続状態は、タブレット端末で表示される無線ＬＡＮアイコンをそのまま用いる場合が多い。そのため、タブレット端末に慣れていないユーザは、無線ＬＡＮがつながっているのかいないのかわかりにくい。さらに、タブレット端末のユーザは、無線ＬＡＮがＯＮになっていることはわかっても、現在、タブレット端末がクレイドルに接続されているかどうかを判別することができない。
【００２８】
一方、特許文献１に記載の技術によっては、有線式においてケーブル挿抜といった煩わしい操作を不要とできるものの、無線ＬＡＮのアイコンを表示することができず、無線ＬＡＮのアイコン表示の意味がわからない、例えば、高齢者等を含むユーザに対して、十分な情報提供を提供できない。また、特許文献１に記載の技術によっては、無線ＬＡＮがつながっているのかいないのかを表示できない。つまり、特許文献１に記載の技術によっては、携帯端末が置き台に対して装着されて、且つ、無線通信接続されたことにより、携帯端末の電話機能を利用し得る場合に、その電話機能を利用し得る状態にあるか否かを分かり易く認識させることができない。
【００２９】
そして、特許文献２に記載の技術によっては、無線ＬＡＮ接続が正常に行われている場合に、文字を読まなくてもアイコンのアンテナの色により無線ＬＡＮ規格を容易に判断することができる。しかし、特許文献２に記載の技術によっては、色の判別を簡単にできるとは言い難く、視力の低下している、例えば、高齢者等のユーザに対して、わかりやすい情報提供を行えない。つまり、特許文献２に記載の技術によっては、通信装置が無線ＬＡＮ接続されたことにより、通信装置の電話機能を利用し得る場合に、その電話機能を利用し得る状態にあるか否かを分かり易く認識させることができない。
【００３０】
また、特許文献３に記載の技術によっては、異常時に、警告内容を常時表示とは別に表示することにより、オペレータによって、情報を確実に認識できる。しかし、特許文献３に記載の技術によっては、異常時に、警告アイコンの表示内容と簡単な対処方法に係る文字情報とを、空き領域に表示するために、表示領域を多く必要とする。そのため、特許文献３に記載の技術によっては、装置が大型化してスマートな外形にならない。加えて、特許文献３に記載の技術によっては、無線ＬＡＮのアイコンを表示することができず、無線ＬＡＮのアイコン表示の意味がわからない、例えば、高齢者等を含むユーザに対して、十分な情報提供を提供できない。また、特許文献３に記載の技術によっては、無線ＬＡＮがつながっているのかいないのかを表示できない。つまり、特許文献３に記載の技術によっては、表示システムが無線通信接続されたことにより、通信装置の電話機能を利用し得る場合に、その電話機能を利用し得る状態にあるか否かを分かり易く認識させることができない。
【００３１】
本発明の目的は、上述した課題を解決するＩＰ電話システム、タブレット端末、タブレット端末の制御方法、及びプログラムを提供することにある。
【課題を解決するための手段】
【００３２】
上記課題を解決するために、本発明の第１の形態によると、ＩＰ電話システムであって、ＩＰ電話用のアプリケーションソフトを具備するタブレット端末と、タブレット端末に対して着脱自在且つ無線通信接続し得るように設けられて、ブロードバンドルータと送受話器とを具備し、タブレット端末に対して無線通信接続された状態において、タブレット端末が装着された場合に、タブレット端末のアプリケーションソフトとブロードバンドルータと送受話器とを利用したＩＰ電話機能を提供するクレイドルとを備え、タブレット端末は、クレイドルに当該タブレット端末が装着された場合に、クレイドルに対する無線通信接続の有無を示すアイコン表示を、クレイドルのＩＰ電話機能を利用し得る状態にあることを示す文字表示に切り替える制御部を有する。
【００３３】
本発明の第２の形態によると、ＩＰ電話用のアプリケーションソフトを具備するタブレット端末であって、タブレット端末に対して着脱自在且つ無線通信接続し得るように設けられて、ブロードバンドルータと送受話器とを具備し、タブレット端末に対して無線通信接続された状態において、タブレット端末のアプリケーションソフトとブロードバンドルータと送受話器とを利用したＩＰ電話機能を提供するクレイドルにタブレット端末が装着された場合に、クレイドルに対する無線通信接続の有無を示すアイコン表示を、クレイドルのＩＰ電話機能を利用し得る状態にあることを示す文字表示に切り替える制御部を備える。
【００３４】
本発明の第３の形態によると、タブレット端末の制御方法であって、ＩＰ電話用のアプリケーションソフトを具備するタブレット端末に対して着脱自在且つ無線通信接続し得るように設けられて、ブロードバンドルータと送受話器とを具備し、タブレット端末に対して無線通信接続された状態において、タブレット端末が装着された場合に、タブレット端末のアプリケーションソフトとブロードバンドルータと送受話器とを利用したＩＰ電話機能を提供するクレイドルにタブレット端末が装着された場合に、クレイドルに対する無線通信接続の有無を示すアイコン表示を、クレイドルのＩＰ電話機能を利用し得る状態にあることを示す文字表示に切り替える制御段階を備える。
【００３５】
本発明の第４の形態によると、ＩＰ電話用のアプリケーションソフトを具備するタブレット端末として、コンピュータを機能させるプログラムであって、コンピュータを、当該タブレット端末に対して着脱自在且つ無線通信接続し得るように設けられて、ブロードバンドルータと送受話器とを具備し、当該タブレット端末に対して無線通信接続された状態において、当該タブレット端末のアプリケーションソフトとブロードバンドルータと送受話器とを利用したＩＰ電話機能を提供するクレイドルに当該タブレット端末が装着された場合に、クレイドルに対する無線通信接続の有無を示すアイコン表示を、クレイドルのＩＰ電話機能を利用し得る状態にあることを示す文字表示に切り替える制御部として機能させる。
【００３６】
なお、上記の発明の概要は、本発明の必要な特徴の全てを列挙したものではない。また、これらの特徴群のサブコンビネーションもまた、発明となり得る。
【発明の効果】
【００３７】
以上の説明から明らかなように、この発明によっては、タブレット端末がクレイドルに対して装着されて、且つ、無線通信接続されたことにより、クレイドルのＩＰ電話機能を利用し得る場合に、そのＩＰ電話機能を利用し得る状態にあるか否かを分かり易く認識させることができる。
【図面の簡単な説明】
【００３８】
【図１】一実施形態に係るＩＰ電話システム１００の構成の一例を示す。
【図２】ＩＰ電話システム１００のクレイドル１２０へのタブレット端末１１０の装着後の一例を示す外観斜視図である。
【図３】タブレット端末１１０のブロック構成の一例を示す図である。
【図４】クレイドル１２０のブロック構成の一例を示す図である。
【図５】基本的なアイコン表示方法を説明するフローチャートである。
【図６】具体的な表示例の切り替わりを説明する遷移例の一例の模式図である。
【図７】具体的な表示例の他例を説明する図を示し、（ａ）は文字情報表示の一例の模式図を示し、（ｂ）は文字情報表示の他例の模式図を示し、（ｃ）は、文字情報表示のさらに他例の模式図を示す。
【発明を実施するための形態】
【００３９】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００４０】
図１は、一実施形態に係るＩＰ電話システム１００の構成の一例を示す。ここで、ＩＰ電話とは、インターネットで利用されるパケット通信プロトコルのＩＰを利用して提供される電話サービスである。
【００４１】
ＩＰ電話システム１００は、タブレット端末１１０及びクレイドル１２０を備える。
【００４２】
タブレット端末１１０は、ＩＰ電話用のアプリケーションソフトを具備する。タブレット端末１１０は、コンピュータ製品の分類の一つで、板状の筐体５１の片面に、指で触れて操作できる液晶画面５２を有する。液晶画面５２は、ユーザ操作の表示や、画像や電話帳など各種データを表示する表示器３３を有する。タブレット端末１１０は、手で持つことができるハンディータイプであり、ほとんどの操作を液晶画面５２に指を触れて行う。クレイドル１２０は、タブレット端末１１０に付属するスタンド型の拡張機器である。クレイドル１２０は、前面に操作部２９とハンドセット１８とを有し、タブレット端末１１０を装着するための装着部６１を有する。クレイドル１２０は、装着部６１を介してタブレット端末１１０に対して着脱自在に設けられている。タブレット端末１１０は、クレイドル１２０から分離されて独立して使用が可能である。
【００４３】
図２は、ＩＰ電話システム１００のクレイドル１２０へのタブレット端末１１０の装着後の一例を示す。図２に示すように、タブレット端末１１０は、クレイドル１２０の装着部６１に装着される。タブレット端末１１０は、クレイドル１２０の装着部６１に装着されることにより、クレイドル１２０に電気的に接続されてクレイドル１２０を通じて外部と通信可能となる。
【００４４】
図３は、タブレット端末１１０のブロック構成の一例を示す図である。図３に示すように、タブレット端末１１０は、充電式電池１９に接続され、ＣＰＵ部２０、電源制御部２１、メモリ部２２、入力部２３、音響部２４、表示部２５、及び無線部２６を備える。ＣＰＵ部２０は、本発明の制御部の一例であってもよい。
【００４５】
タブレット端末１１０は、ＣＰＵ部２０を搭載している。ＣＰＵ部２０は、バス３２を介して電源制御部２１、メモリ部２２、入力部２３、音響部２４、表示部２５、及び無線部２６に接続されている。これらのうち、メモリ部２２は、リード・オン・メモリー（ＲＯＭ）、ランダム・アクセス・メモリ（ＲＡＭ）、及び不揮発メモリにより構成されている。リード・オン・メモリーには、ＣＰＵ部２０が実行するための通信制御、省電力制御といった各種の制御プログラムが格納されている。ランダム・アクセス・メモリは、ＣＰＵ部２０がプログラムを実行する上で一時的に必要とされるデータを格納する作業用メモリである。不揮発メモリは、データの消去、書き込みを自由に行うことができ、電源を切っても内容が消えない半導体メモリである。不揮発メモリは、電話帳データや着信時のイルミネーションなどの各種設定値、ユーザデータなどを保持できるようになっている。
【００４６】
音響部２４は、マイク、レシーバ、スピーカを有し、通話や着信音やアラーム音の鳴音時に使用されるデバイスで構成されている。無線部２６は、携帯電話網に接続する無線部、クレイドル１２０との無線ＬＡＮ１１の通信を行う無線部とを有し、無線によってデータの送受信を行うための回路である。表示部２５は、表示器３３と、表示器３３を制御する不図示の回路により構成される。入力部２３は、各種ハードキーやタッチパネルなどの入力デバイスである液晶画面５２による入力を受け付ける回路である。電源制御部２１は、充電式電池１９から各回路部への電源供給、クレイドル１２０のタブレット端末充電部１５との接続により、充電式電池１９への充電及び各回路部への電源供給などを制御すると共に、クレイドル１２０の装着部６１との接続有無の判断をＣＰＵ部２０に伝える役割を有する。なお、クレイドル１２０とタブレット端末１１０との接続検出は、専用にホール素子と磁石などを用いてタブレット端末１１０により電気的に判別する方法などを用いても良い。
【００４７】
図４は、クレイドル１２０のブロック構成の一例を示す図である。図４に示すように、クレイドル１２０は、ＡＣ電源１２に接続され、ブロードバンド回線１３に接続されている。クレイドル１２０は、電源制御部１４、タブレット端末充電部１５、ブロードバンドルータ１６、及びアナログ固定電話部１７を備える。アナログ固定電話部１７は、ハンドセット１８に接続されている。アナログ固定電話部１７は、本発明の送受話器の一例であってもよい。
【００４８】
タブレット端末充電部１５は、タブレット端末１１０に内蔵されている充電回路により構成されており、電源制御部１４へ充電などの電源供給が行われる。クレイドル１２０は、ＡＣ電源１２より電源制御部１４に電源が供給される。電源制御部１４は、タブレット端末１１０の充電を行うタブレット端末充電部１５、ブロードバンドルータ１６、アナログ固定電話部１７へ電源の供給を行う。タブレット端末充電部１５は、タブレット端末１１０を充電するための不図示の端子及び制御回路を有する。
【００４９】
ブロードバンドルータ１６は、タブレット端末１１０をインターネットへ接続するためのものであり、ブロードバンド回線１３によりインターネットへ接続される。ブロードバンドルータ１６への接続は、不図示の有線だけでなく、無線ＬＡＮにより様々な機器との接続を可能としている。ブロードバンドルータ１６は、ＶｏＩＰ（Ｖｏｉｃｅ  ｏｖｅｒ  Ｉｎｔｅｒｎｅｔ  Ｐｒｏｔｏｃｏｌ）機能２７を有し、ＩＰ電話機能の提供を行うと共に、アナログ固定電話部１７を電話線２８で接続するための音声データインターフェースを有する。ＶｏＩＰ機能２７とは、インターネットやＴＣＰ／ＩＰネットワークを使って音声データを送受信する技術を意味する。アナログ固定電話部１７は、音声通話を行う機能を有し、ダイヤル番号をボタン入力したり、受話音声の音量を変更するボタンなどにより構成される操作部２９を有する。また、アナログ固定電話部１７は、入力したダイヤル番号、着信時の着信番号を表示する表示部３０を備える。そして、アナログ固定電話部１７は、マイク、レシーバより外部に構成されるハンドセット１８、及び操作部２９、表示部３０、ハンドセット１８を制御する制御部３１を備える。
【００５０】
クレイドル１２０と、タブレット端末１１０とは、ＩＰソフトフォンを構成し、無線ＬＡＮ１１を通じて各種信号のやりとりが行われる。
【００５１】
図５は、基本的なアイコン表示方法を説明するフローチャートである。図６は、具体的な表示例の切り替わりを説明する遷移例の一例の模式図である。図５に示すように、電源がオンのタブレット端末１１０が、図４に示したクレイドル１２０の装着部６１に装着されることにより、タブレット端末１１０は、タブレット端末充電部１５に有する不図示の接続コネクタに接続される。このとき、図６に示すように、タブレット端末１１０の表示器３３は、数字表示の現在時刻アイコン４１、マーク表示の電池残量アイコン４２、マーク表示の電解強度アイコン４３、マーク表示の無線ＬＡＮアイコン４４を表示している。クレイドル１２０にタブレット端末１１０が接続されることにより、クレイドル１２０は、タブレット端末１１０に電源供給を行う。同時に、タブレット端末１１０のＣＰＵ部２０は、クレイドル１２０に接続されたことを検出する（ステップＳ１１）。
【００５２】
タブレット端末１１０のＣＰＵ部２０は、ＩＰアドレスにより特定されたクレイドル１２０に接続されていることが検出された場合、タブレット端末１１０に有する表示器３３に表示される無線ＬＡＮ１１の接続状態の表示を分かり易い表示に変更する（ステップＳ１２）。図６に示すように、タブレット端末１１０の表示器３３は、数字表示の現在時刻アイコン４１、マーク表示の電池残量アイコン４２、マーク表示の電解強度アイコン４３を表示し、マーク表示に代えて、分かり易い活字を用いた文字表示の「親機接続」と記載された無線ＬＡＮアイコン４５を表示する。このとき、ＣＰＵ部２０は、他のアイコンと同じ領域を使用して無線ＬＡＮアイコン４５を表示する。つまり、ＣＰＵ部２０は、アイコン表示と文字表示とを常時行い、ＩＰアドレスにより特定されたクレイドル１２０への装着が検出された場合に、表示を切り替える。すなわち、タブレット端末１１０のＣＰＵ部２０は、タブレット端末１１０がクレイドル１２０に装着された場合に、クレイドル１２０に対する無線通信接続の有無を示すアイコン表示を、クレイドル１２０の電話機能を利用し得る状態にあることを示す文字表示に切り替える。ここで、無線ＬＡＮ１１の接続状態の表示変更は、タブレット端末１１０がクレイドル１２０から分離されたと判断されるまでの間において、継続して行われる。そして、タブレット端末１１０のＣＰＵ部２０は、クレイドル１２０から分離されたことが検出された場合、表示の変更を行っていた無線ＬＡＮアイコン４５を元のマーク表示の無線ＬＡＮアイコン４４に戻す。
【００５３】
図７は、具体的な表示例の他例を説明する図を示し、（ａ）は文字情報表示の一例の模式図を示し、（ｂ）は文字情報表示の他例の模式図を示し、（ｃ）は、文字情報表示のさらに他例の模式図を示す。図７（ａ）に示すように、タブレット端末１１０のＣＰＵ部２０は、電源がオンのタブレット端末１１０がＩＰアドレスにより特定されたクレイドル１２０の装着部６１に装着されることによりクレイドル１２０への接続を検出する。このとき、タブレット端末１１０のＣＰＵ部２０は、タブレット端末１１０が無線ＬＡＮ１１に接続されていないことを検出した場合、図６に示したマーク表示の無線ＬＡＮアイコン４４に代えて、分かり易い活字を用いた文字表示の「接続無し」と記載された無線ＬＡＮアイコン４６を表示する。
【００５４】
図７（ｂ）に示すように、タブレット端末１１０のＣＰＵ部２０は、電源がオンのタブレット端末１１０がＩＰアドレスにより特定されたクレイドル１２０の装着部６１に装着されることによりクレイドル１２０への接続を検出する。このとき、タブレット端末１１０のＣＰＵ部２０は、タブレット端末１１０がクレイドル１２０ではなく、他の機器と無線ＬＡＮ接続されていることを検出した場合、図６に示したマーク表示の無線ＬＡＮアイコン４４に代えて、分かり易い活字を用いた文字表示の「親未接続」と記載された無線ＬＡＮアイコン４７を表示する。
【００５５】
図７（ｃ）に示すように、タブレット端末１１０のＣＰＵ部２０は、電源がオンのタブレット端末１１０がＩＰアドレスにより特定されたクレイドル１２０の装着部６１に装着されることによりクレイドル１２０への接続を検出する。このとき、タブレット端末１１０がクレイドル１２０に対して無線ＬＡＮ接続処理中であることが検出された場合、図６に示したマーク表示の無線ＬＡＮアイコン４４に代えて、分かり易い活字を用いた文字表示の「親接続中」と記載された無線ＬＡＮアイコン４８を表示する。
【００５６】
以上説明したように、ＩＰ電話システム１００によれば、ＣＰＵ部２０は、ＩＰアドレスにより特定されたクレイドル１２０へのタブレット端末１１０の装着を検出した場合、クレイドル１２０に対する無線ＬＡＮ接続の有無を示すアイコン表示を、クレイドル１２０の電話機能を利用し得る状態にあることを示す文字表示に切り替える。従って、ＣＰＵ部２０は、無線ＬＡＮアイコンの意味がわからない高齢者等でも文字表示で知らせることによりタブレット端末１１０とクレイドル１２０との無線ＬＡＮ接続の有無を知らせることができる。
【００５７】
また、ＩＰ電話システム１００によれば、ＣＰＵ部２０は、アイコン表示に文字表示を用いた無線ＬＡＮアイコン４５、４６、４７、４８を表示するために、ユーザに対して、無線ＬＡＮの状態をわかりやすく文言で表示して利便性を向上させることができる。
【００５８】
また、ＩＰ電話システム１００によれば、ＣＰＵ部２０は、タブレット端末１１０のクレイドル１２０からの分離を検出するまでの間、切り替えた表示を継続するために、ユーザの確認時間を多めに確保することができる。
【００５９】
また、ＩＰ電話システム１００によれば、ＣＰＵ部２０は、タブレット端末１１０のクレイドル１２０からの分離を検出した場合、切り替えた表示を元の表示に戻すために、ユーザによって、クレイドル１２０からの分離の確認を確実に行うことができる。
【００６０】
また、ＩＰ電話システム１００によれば、ＣＰＵ部２０は、タブレット端末１１０が無線ＬＡＮに未接続の場合、無線ＬＡＮに未接続であることを示す無線ＬＡＮアイコン４６を用いるために、タブレット端末１１０に慣れていないユーザに対して、接続の有無をわかりやく表示することできる。
【００６１】
また、ＩＰ電話システム１００によれば、ＣＰＵ部２０は、タブレット端末１１０が他の機器と無線ＬＡＮ接続されている場合、他の機器と無線ＬＡＮ接続されていることを示す無線ＬＡＮアイコン４７を用いるために、タブレット端末１１０に慣れていないユーザに対して、接続の状況をわかりやく表示することできる。
【００６２】
また、ＩＰ電話システム１００によれば、ＣＰＵ部２０は、タブレット端末１１０がクレイドル１２０と無線ＬＡＮ接続処理中である場合、クレイドル１２０と無線ＬＡＮ接続処理中であることを示す無線ＬＡＮアイコン４８を用いるために、タブレット端末１１０に慣れていないユーザに対して、接続の進行状況をわかりやく表示することできる。
【００６３】
そして、タブレット端末１１０によれば、ＣＰＵ部２０は、タブレット端末１１０のアプリケーションソフトとブロードバンドルータ１６とアナログ固定電話部１７とを利用した電話機能を提供するクレイドル１２０にタブレット端末１１０が装着された場合に、クレイドル１２０に対する無線ＬＡＮ接続の有無を示すアイコン表示を、クレイドル１２０の電話機能を利用し得る状態にあることを示す文字表示に切り替える。従って、ＣＰＵ部２０は、無線ＬＡＮアイコンの意味がわからない高齢者等でも文字表示で知らせることによりタブレット端末１１０とクレイドル１２０との無線ＬＡＮ接続の有無を知らせることができる。
【００６４】
そして、タブレット端末の制御方法によれば、ＣＰＵ部２０は、ＩＰアドレスにより特定されたクレイドル１２０へのタブレット端末１１０の装着を検出した場合、クレイドル１２０に対する無線ＬＡＮ接続の有無を示すアイコン表示を、クレイドル１２０の電話機能を利用し得る状態にあることを示す文字表示に切り替える。従って、アイコン表示方法によれば、ＣＰＵ部２０は、無線ＬＡＮアイコンの意味がわからない高齢者等でも文字表示で知らせることによりタブレット端末１１０とクレイドル１２０との無線ＬＡＮ接続の有無を知らせることができる。
【００６５】
さらに、プログラムによれば、ＣＰＵ部２０は、ＩＰアドレスにより特定されたクレイドル１２０へのタブレット端末１１０の装着を検出した場合、クレイドル１２０に対する無線ＬＡＮ接続の有無を示すアイコン表示を、クレイドル１２０の電話機能を利用し得る状態にあることを示す文字表示に切り替える。従って、プログラムによれば、ＣＰＵ部２０は、無線ＬＡＮアイコンの意味がわからない高齢者等でも文字表示で知らせることによりタブレット端末１１０とクレイドル１２０との無線ＬＡＮ接続の有無を知らせることができる。
【符号の説明】
【００６６】
１１  無線ＬＡＮ
１２  ＡＣ電源
１３  ブロードバンド回線
１４  電源制御部
１５  タブレット端末充電部
１６  ブロードバンドルータ
１７  アナログ固定電話部
１８  ハンドセット
１９  充電式電池
２０  ＣＰＵ部
２１  電源制御部
２２  メモリ部
２３  入力部
２４  音響部
２５  表示部
２６  無線部
２７  ＶｏＩＰ機能
２８  電話線
２９  操作部
３０  表示部
３１  制御部
３２  バス
３３  表示器
４１  現在時刻アイコン
４２  電池残量アイコン
４３  電解強度アイコン
４４  無線ＬＡＮアイコン
４５  無線ＬＡＮアイコン
４６  無線ＬＡＮアイコン
４７  無線ＬＡＮアイコン
４８  無線ＬＡＮアイコン
５１  筐体
５２  液晶画面
６１  装着部
１００  ＩＰ電話システム
１１０  タブレット端末
１２０  クレイドル
【図１】
2015050673.tif 000003
【図２】
2015050673.tif 000004
【図３】
2015050673.tif 000005
【図４】
2015050673.tif 000006
【図５】
2015050673.tif 000007
【図６】
2015050673.tif 000008
【図７】
2015050673.tif 000009